(57)【特許請求の範囲】
【請求項１】
容器の上方位置に設置されていて容器の蓋を横行ガーダ上のホイストを横行させながら開閉させるようにする天井クレーンにおいて、上記横行ガーダの走行方向の前後一方の隣接位置に、上面を上記容器の蓋の開閉軌跡に対応する円弧形状とした補助横行ガーダを備え、且つ該補助横行ガーダ上に補助ホイストを横行可能に搭載してなる構成を有することを特徴とする天井クレーン。
【請求項２】
容器の上方位置に設置されていて容器の蓋を横行ガーダ上のホイストを横行させながら開閉させるようにする天井クレーンにおいて、上記横行ガーダを走行方向の前後で挟む位置に、上面を上記蓋の開閉軌跡に対応する円弧形状とした補助横行ガーダを昇降可能に組み付け、且つ上記ホイストに、上昇位置させた補助横行ガーダ上へ乗り移るための補助車輪を設けてなることを特徴とする天井クレーン。
【発明の詳細な説明】
【０００１】
【発明の属する技術分野】
本発明は開度の大きい容器の蓋をホイストの横行動作で安定して開閉させることができるようにした天井クレーンに関するものである。
【０００２】
【従来の技術】
超音速エンジン試験施設では、各種供試体を試験室内に入れて低圧試験等を行うが、上記試験室としては、図５に一例を示す如く、上面部側にヒンジ１を支点として上下方向に開閉できるようにした蓋（ハッチ）２を有する横置き円筒状の容器３が用いられる。
【０００３】
上記横置き円筒状の容器３の蓋２は、供試体を出し入れするために大きく形成されていて大きな開度を有するため、通常は、施設の天井下に装備されている天井クレーン４により開閉されるようにしてある。すなわち、上記天井クレーン４は、前後方向に延びる左右一対の走行レール５と、両端部に走行用車輪を有して上記左右一対の走行レール５に沿って前後方向に走行できるようにした前後一対の横行ガーダ６と、該前後一対の横行ガーダ６上の横行レール６ａに沿って左右方向に横行できるようにしたホイスト７とを備えた構成を有する一般的な型式のもので、ホイストロープ８の先端に取り付けてある吊りフック９を、容器３の蓋２の開閉端側の吊りピース１０に係止させ、ホイスト７の横行動作とホイストロープ８の巻上下により、蓋２を開閉させるようにしている。７ａはホイスト７の横行用車輪である。
【０００４】
【発明が解決しようとする課題】
ところが、上記従来の天井クレーン４を用いて蓋２の開閉作業を行う場合、蓋２の開閉軌跡が非線形であるのに対し、横行ガーダ６は水平であるため、図５において、ホイスト７を右から左へ横行させて蓋２を開くときに、ホイスト７の巻上げ作業と横行作業を同時に行わなければならず、蓋２の重心がヒンジ１の前後の不安定域を通過するときに、ホイストロープ８の長さと横行の速度が合わないと、蓋２が左右に振れてホイストロープ８に過大な荷重が作用してしまうという問題があり、かかる操作には熟練と勘が必要であり、誰でもできる作業ではなかった。
【０００５】
そこで、本発明は、非線形の開閉軌跡を有する容器蓋の開閉作業を、熟練者でなくても容易に安定して実施することができるようにしようとするものである。
【０００６】
【課題を解決するための手段】
本発明は、上記課題を解決するために、容器の上方位置に設置されていて容器の蓋を横行ガーダ上のホイストを横行させながら開閉させるようにする天井クレーンにおいて、上記横行ガーダの走行方向の前後一方の隣接位置に、上面を上記容器の蓋の開閉軌跡に対応する円弧形状とした補助横行ガーダを備え、且つ該補助横行ガーダ上に補助ホイストを横行可能に搭載してなる構成とする。
【０００７】
蓋を補助ホイストのホイストロープで吊って、補助ホイストを補助横行ガーダに沿わせて横行させると、蓋の開閉軌跡と補助横行ガーダ上面の形状が対応していることから、補助ホイストの横行作業のみでホイストロープに弛みが発生することなく蓋を安定して開閉させることができる。
【０００８】
又、容器の上方位置に設置されていて容器の蓋を横行ガーダ上のホイストを横行させながら開閉させるようにする天井クレーンにおいて、上記横行ガーダを走行方向の前後で挟む位置に、上面を上記蓋の開閉軌跡に対応する円弧形状とした補助横行ガーダを昇降可能に組み付け、且つ上記ホイストに、上昇位置させた補助横行ガーダ上へ乗り移るための補助車輪を設けてなる構成とすることにより、上昇位置させた補助横行ガーダにホイストを乗り移らせて横行させることで、蓋を安定して開閉させることができる。
【０００９】
【発明の実施の形態】
以下、本発明の実施の形態を図面を参照して説明する。
【００１０】
図１及び図２は本発明の実施の一形態を示すもので、図５に示したと同様に、横向きに設置されている円筒状の容器３の蓋２を、横行ガーダ６上のホイスト７で吊って該ホイスト７の横行動作でヒンジ１を支点として上下に開閉させるようにしてある天井クレーン４において、上記蓋２の開閉を専用に行わせるようにするために、上記横行ガーダ６の走行方向の一側隣接位置に、上面を上記ヒンジ１を支点とする蓋２の円弧状の開閉軌跡と対応する非線形形状に形成した蓋開閉の専用の補助横行ガーダ１１を、上記蓋２の開閉軌跡の上方に位置するように固定して備え、且つ該補助横行ガーダ１１の横行レール１１ａ上に、補助ホイスト１２を横行可能に搭載して、蓋２の開閉時にのみ、ホイストロープ８ａの先端の吊りフック９ａを蓋２の吊りピース１０に係止させて補助ホイスト１２を補助横行ガーダ１１に沿わせて横行させるようにする。
【００１１】
なお、補助ホイスト１２の横行駆動方式としては、たとえば、横行レール１１ａをラックとし、横行用車輪１２ａをピニオンとして公知のピンオン・ラック方式等を採用する。
【００１２】
上記構成としてある天井クレーン４の場合、通常のクレーン作業は、これまでと同様に、ホイスト７を用いて行わせるようにするが、容器３の蓋２を開閉する場合には補助ホイスト１２を用いるようにする。
【００１３】
詳述すると、容器３の蓋２を開放するときには、図１において実線で示す如く、先ず、蓋２に取り付けられている開閉用の吊りピース１０のほぼ真上の位置に補助ホイスト１２を位置させ、この位置でホイストロープ８ａを巻下げて吊りフック９ａを吊りピース１０に係止させ、ホイストロープ８ａに余分な弛みが発生しないように調整する。
【００１４】
しかる後、補助ホイスト１２を、図１において、二点鎖線で示す位置まで右から左へ向け補助横行ガーダ１１に沿わせて横行させるようにすると、蓋２は補助ホイスト１２のホイストロープ８ａにより吊り上げられながら開く方向に移行させられることになる。この際、蓋２の開閉軌跡と補助ホイスト１２の横行軌跡となる補助横行ガーダ１１の上面とは対応する円弧形状となっていて、ホイストロープ８ａを巻上下することなく補助横行ガーダ１１の横行作業のみで蓋２の開放を行うことができる。この際、ホイストロープ８ａに弛みが発生することがないため、蓋２はヒンジ１の前後の不安定域を通過するときでも左右に振れることなく円滑に移行して開放状態となる。一方、蓋２を閉鎖するときには、上述した手順とは逆の手順で、補助ホイスト１２を二点鎖線の位置から実線位置まで横行させるようにすればよい。
【００１５】
このように、蓋２の開閉軌跡と対応する形状の補助横行ガーダ１１に沿わせて補助ホイスト１２を横行させるだけで、蓋２を安定して開閉させることができるので、従来の如くホイスト７の横行にホイストロープ８の巻上下操作を併用する必要がなく、したがって、熟練者でなくても蓋２の開閉作業を容易に行うことができる。
【００１６】
次に、図３及び図４は本発明の実施の他の形態を示すもので、図５に示したと同様な構成において、上記横行ガーダ６を走行方向の前後で挟む位置に、上面を蓋２の開閉軌跡と対応する非線形形状に形成した補助横行ガーダ１３を昇降可能に組み付けると共に、該補助横行ガーダ１３と横行ガーダ６との間に、昇降装置としてのシリンダ１４を介在設置し、且つ横行ガーダ６上のホイスト７の車輪７ａの車軸１５を補助横行ガーダ１３に達する長さに延長して、該車軸１５の延長部に、補助横行ガーダ１３のレール１３ａ上を横行するための補助の横行用車輪７ｂを設け、蓋２の開放時に、補助横行ガーダ１３をシリンダ１４により所定位置まで上昇させることにより、ホイスト７が補助の横行用車輪７ａを介して補助横行ガーダ１３上に乗り移って横行できるようにしたものである。１６は補助横行ガーダの昇降ガイド機構を示す。
【００１７】
図３及び図４に示す実施の形態の場合、通常のクレーン作業は、ホイスト７を横行ガーダ６上に位置させて行い、蓋２を開放するときは、シリンダ１４の作動により補助横行ガーダ１３を実線の位置から二点鎖線の位置へ上昇させ、ホイストロープ８先端の吊りフック９を吊りピース１０に係止させた状態として、ホイスト７を補助横行ガーダ１３上に補助の横行用車輪７ｂを介し乗り移らせて、横行させることにより行うようにする。これにより、１台のホイスト７のみにて、通常作業と、ホイストロープ８の巻上下操作を併用しない蓋２の開閉作業を行うことができる。
【００１８】
なお、上記実施の形態では、円筒状の容器３の蓋２を開閉する場合について示したが、円筒状以外の容器の蓋を開閉する場合にも同様に適用できること、その他本発明の要旨を逸脱しない範囲内において種々変更を加え得ることは勿論である。
【００１９】
【発明の効果】
以上述べた如く、本発明の天井クレーンによれば、容器の上方位置に設置されていて容器の蓋を横行ガーダ上のホイストを横行させながら開閉させるようにする天井クレーンにおいて、上記横行ガーダの走行方向の前後一方の隣接位置に、上面を上記容器の蓋の開閉軌跡に対応する円弧形状とした補助横行ガーダを備え、且つ該補助横行ガーダ上に補助ホイストを横行可能に搭載してなる構成としてあるので、蓋の真上付近の位置で補助ホイストにより蓋を吊って、補助ホイストを補助横行ガーダに沿わせて横行させることにより、ホイストロープの巻上下操作を併用することなく蓋を安定して開閉させることができ、したがって、熟練者でなくとも容易に実施することができ、又、容器の上方位置に設置されていて容器の蓋を横行ガーダ上のホイストを横行させながら開閉させるようにする天井クレーンにおいて、上記横行ガーダを走行方向の前後で挟む位置に、上面を上記蓋の開閉軌跡に対応する円弧形状とした補助横行ガーダを昇降可能に組み付け、且つ上記ホイストに、上昇位置させた補助横行ガーダ上へ乗り移るための補助車輪を設けてなる構成とすることにより、補助ホイストを用いることなく１台のホイストのみにて通常作業と蓋の開閉作業とを安定して行うことができる、という優れた効果を発揮する。
【図面の簡単な説明】
【図１】本発明の天井クレーンの実施の一形態を示す概略正面図である。
【図２】図１の平面図である。
【図３】本発明の実施の他の形態を示す概略正面図である。
【図４】図３のＡ−Ａ方向拡大矢視図である。
【図５】従来の天井クレーンによる容器蓋の開閉作業要領を示す概略図である。
【符号の説明】
２  蓋
３  容器
４  天井クレーン
５  走行レール
６  横行ガーダ
７  ホイスト
７ｂ  補助の横行用車輪
１１  補助横行ガーダ
１２  補助ホイスト
１３  補助横行ガーダ
１４  シリンダ
【図１】
0004547789.tif 000002
【図２】
0004547789.tif 000003
【図３】
0004547789.tif 000004
【図４】
0004547789.tif 000005
【図５】
0004547789.tif 000006